(57)【要約】【課題】操作性に優れるとともに、止水状態であっても吐水状態に切り替えた場合の吐水の状況を推測可能な水栓の操作装置を提供することができる。【解決手段】水栓１０の操作装置２０は、回転軸Ｒ周りに回転自在に構成され、回転操作により吐水の温度調節と流量調節の一方を行う第１操作部３０と、第１操作部３０と同軸上に配されるとともに回転軸Ｒ周りに回転自在に構成され、回転操作により吐水の温度調節と流量調節の他方を行う第２操作部４０と、を備える。第１操作部３０は第１操作部３０の回転操作量を指示する第１指示部３１を有する。第１指示部３１は、第１操作部３０の外表面３０Ａに形成された凸形状又は凹形状によって構成される。第２操作部４０は、第２操作部４０の回転操作量を指示する第２指示部４１を有する。第２指示部４１は、第２操作部４０の外表面４０Ａに形成された凸形状又は凹形状によって構成される。【選択図】図３
2020153093.tif 000002
【特許請求の範囲】
【請求項１】
回転軸周りに回転自在に構成され、回転操作により吐水の温度調節と流量調節の一方を行う第１操作部と、
前記第１操作部と同軸上に配されるとともに回転軸周りに回転自在に構成され、回転操作により前記吐水の温度調節と流量調節の他方を行う第２操作部と、を備え、
前記第１操作部は、前記第１操作部の回転操作量を指示する第１指示部を有し、
前記第１指示部は、前記第１操作部の外表面に形成された凸形状又は凹形状によって構成され、
前記第２操作部は、前記第２操作部の回転操作量を指示する第２指示部を有し、
前記第２指示部は、前記第２操作部の外表面に形成された凸形状又は凹形状によって構成される水栓の操作装置。
【請求項２】
前記第１指示部と前記第２指示部は、前記回転軸周りにおいて互いの可動域が重ならないように配置されている請求項１に記載の水栓の操作装置。
【請求項３】
前記第１操作部と前記第２操作部は、取付面に対して回転軸を交差させる姿勢で取り付けられ、
前記取付面は、前記第１指示部に指示され前記第１操作部の前記回転操作量を示す第１被指示部と、前記第２指示部に指示され前記第２操作部の前記回転操作量を示す第２被指示部と、を有する請求項１又は請求項２に記載の水栓の操作装置。
【発明の詳細な説明】
【技術分野】
【０００１】
本発明は水栓の操作装置に関する。
【背景技術】
【０００２】
特許文献１には吐水装置の操作部に係る構成が開示されている。この操作部は、流調ダイヤルボタンと温調ダイヤルを有する。吐水装置は、流調ダイヤルボタンの押圧操作により、吐止水が切り替えられ、流調ダイヤルボタンの回転操作により、吐水流量が調節される。また、吐水装置は、温調ダイヤルの回転操作により、吐水温度が調節される。
【０００３】
この流調ダイヤルボタンは、その外部に露出する部分が、下面側を開放させた略逆シャーレ状の形状を有する。この略逆シャーレ状の形状を有する部分は、略円筒面をなす周壁部と、周壁部の上側に形成された平板状の天面部とを有しており、略円筒面が流調ダイヤルボタンを回転操作する際に指を掛ける面とされる。
【先行技術文献】
【特許文献】
【０００４】
【特許文献１】特開２０１６−１３８３７９号公報
【発明の概要】
【発明が解決しようとする課題】
【０００５】
しかし、特許文献１に開示の流調ダイヤルボタンは、回転操作する際に指を掛ける面が略円筒面をなすから、回転操作時に指が掛かりにくく、操作性が悪い。
【０００６】
さらに、特許文献１に開示の操作部は、流調ダイヤルボタンの回転操作量や温調ダイヤルの回転操作量が表示されないため、操作者は流調ダイヤルボタンの回転操作量や温調ダイヤルの回転操作量を認識することができない。このような構成では、吐水状態では、その流量を見て、また吐水に触れることにより、吐水の状況を判断できたとしても、止水状態では、吐水状態に切り替えた場合の吐水の状況を判断することができない。このため、特許文献１に開示の構成では、吐水状態に切り替えた際に意図しない流量や温度の湯水が吐水される虞があり問題がある。
【０００７】
本発明は、上記従来の実情に鑑みてなされたものであって、操作性に優れるとともに、止水状態であっても吐水状態に切り替えた場合の吐水の状況を容易に判断できる水栓の操作装置を提供することを解決すべき課題としている。
【課題を解決するための手段】
【０００８】
本発明の水栓の操作装置は、
回転軸周りに回転自在に構成され、回転操作により吐水の温度調節と流量調節の一方を行う第１操作部と、
前記第１操作部と同軸上に配されるとともに回転軸周りに回転自在に構成され、回転操作により前記吐水の温度調節と流量調節の他方を行う第２操作部と、を備え、
前記第１操作部は、前記第１操作部の回転操作量を指示する第１指示部を有し、
前記第１指示部は、前記第１操作部の外表面に形成された凸形状又は凹形状によって構成され、
前記第２操作部は、前記第２操作部の回転操作量を指示する第２指示部を有し、
前記第２指示部は、前記第２操作部の外表面に形成された凸形状又は凹形状によって構成される。
【０００９】
この水栓の操作装置は、第１指示部と第２指示部がそれぞれ第１操作部と第２操作部の外表面に形成された凸形状又は凹形状によって構成されるから、第１操作部と第２操作部の各々を回転操作する際に第１指示部と第２指示部に指を掛けることができる。そして、この水栓の操作装置によれば、指を掛ける部分となる第１指示部と第２指示部により、止水状態であっても第１操作部と第２操作部の回転操作量を認識可能となる。
【発明の効果】
【００１０】
本発明によれば、操作性に優れるとともに、止水状態であっても吐水状態に切り替えた場合の吐水の状況を容易に判断できる水栓の操作装置を提供することができる。
【図面の簡単な説明】
【００１１】
【図１】実施例１に係る洗面台を斜め上方から視た斜視図である。
【図２】水栓の操作装置を斜め上方から視た斜視図である。
【図３】（ａ）は、第１操作部及び第２操作部を回転操作する前の状態において、第１指示部及び第２指示部を模式的に表す模式図である。（ｂ）は、第１操作部及び第２操作部を回転操作する過程を模式的に表す模式図である。（ｃ）は、第１操作部及び第２操作部を回転操作した後の状態において、第１指示部及び第２指示部を模式的に表す模式図である。
【図４】（ａ）は、実施例２に係る水栓の操作装置を、第１操作部の押し込み位置において斜め上方から視た斜視図である。（ｂ）は、実施例２に係る水栓の操作装置を、第１操作部の突出位置において斜め上方から視た斜視図である。
【図５】（ａ）は、第１操作部及び第２操作部を回転操作する前の状態において、第１指示部及び第２指示部を模式的に表す模式図である。（ｂ）は、第１操作部及び第２操作部を回転操作する過程を模式的に表す模式図である。（ｃ）は、第１操作部及び第２操作部を回転操作した後の状態において、第１指示部及び第２指示部を模式的に表す模式図である。
【発明を実施するための形態】
【００１２】
本発明における好ましい実施の形態を説明する。
【００１３】
本発明の水栓の操作装置において、前記第１指示部と前記第２指示部は、前記回転軸周りにおいて互いの可動域が重ならないように配置されていてもよい。この構成によれば、第１指示部と第２指示部の各々が指示する第１操作部の回転操作量と第２操作部の回転操作量を判別しやすくなる。
【００１４】
本発明の水栓の操作装置において、前記第１操作部と前記第２操作部は、取付面に対して回転軸を交差させる姿勢で取り付けられ、前記取付面は、前記第１指示部に指示され前記第１操作部の前記回転操作量を示す第１被指示部と、前記第２指示部に指示され前記第２操作部の前記回転操作量を示す第２被指示部と、を有していてもよい。この構成によれば、第１被指示部と第２被指示部を取付面に形成することにより、これらを形成するための部材を別途設けることなく第１操作部と第２操作部の回転操作量を示すことができる。
【００１５】
次に、本発明の水栓の操作装置を具体化した実施例１について、図面を参照しつつ説明する。
【００１６】
＜実施例１＞
実施例１として、図１に示すように、洗面台１００に設けられた水栓１０の操作装置２０について例示する。以下、操作装置２０の操作状態において、操作者に面する側を前方、その反対側を後方（操作者から見て奥方）とし、また上側（図１の上側）を上方、下側（図１の下側）を下方として説明する。
【００１７】
洗面台１００には、洗面ボウル１０１の上部後方にバックガード１０３が設けられている。バックガード１０３には、前面から前方に突出する形で水栓１０の操作装置２０と水栓１０の吐水口１１が取り付けられている。以下の説明では、バックガード１０３の前面を、操作装置２０の取付面１０３Ａともいう。
【００１８】
水栓１０には、操作装置２０の後方に弁装置１３が設けられている。弁装置１３には、水を供給する給水管１５と湯を供給する給湯管１７が接続されるとともに、吐水口１１に連なる吐水管１９が接続されている。弁装置１３は、操作者が操作装置２０を操作することにより内部の弁体が移動するように構成されている。弁装置１３は、第１の弁体が移動すると、給湯管１７と給水管１５から内部に流入する湯水の混合比が変更されて温度が調節される。また、弁装置１３は、第２の弁体が移動すると、吐水管１９に連なる流路の流量が調節され、また、流路が開閉されて吐止水が切り替えられる。
【００１９】
操作装置２０は、図２に示すように、吐水の温度調節を行う第１操作部３０と、吐水の流量調節を行う第２操作部４０と、を備えている。本実施例では、操作装置２０は、吐水状態と止水状態の切り替えを行う第３操作部２１を更に備えている。操作装置２０は、３つの操作部３０，４０，２１が取付面１０３Ａから前方に突出する形で一体的に設けられている。操作装置２０は、多機能でありながらすっきりとした外観を呈し、意匠性に優れる。
【００２０】
第１操作部３０は、回転軸Ｒ周りに回転自在に構成され、回転操作により吐水の温度調節を行う。具体的には、第１操作部３０は、略円筒状をなし、筒軸を回転軸Ｒと一致させた姿勢で弁装置１３に対して組み付けられている。第１操作部３０は、時計回り方向と反時計回り方向のいずれにも回転させることができるようになっている。第１操作部３０の回転操作により吐水の温度が調節される態様は、特に限定するものではないが、例えば、第１操作部３０の回転操作量に応じて弁装置１３内の第１の弁体が回転軸Ｒ方向に移動して、給湯管１７と連通する湯側ポートと給水管１５と連通する水側ポートの開度配分が変更される態様とすることができる。第１操作部３０は、筒口が前方に向けて開口する形で、第３操作部２１が挿通される挿通孔３５が形成されている。
【００２１】
第１操作部３０は、第１操作部３０の回転操作量を指示する第１指示部３１を有する。第１指示部３１は、第１操作部３０の外表面３０Ａに形成された凸形状によって構成され、具体的には、第１操作部３０の外周面から径方向外側に向けて突出する単一の凸部からなる。第１指示部３１は、第１操作部３０を操作する際に、操作者の指が掛かる指掛かり部とされる。言い換えれば、第１指示部３１は、回転軸Ｒに対してこれと直交する方向に離れた位置に形成され、第１操作部３０を回転操作する際に指に押圧される押圧面を有する構成をなす。このような構成により、例えば、操作者は第１指示部３１の側面に指をあてがいつつ外周面の両側をつまむように把持して、第１操作部３０を回転操作することができる。第１指示部３１の配置、および第１指示部３１が第１操作部３０の回転操作量を指示する態様については、後に説明する。
【００２２】
第２操作部４０は、回転軸Ｒ周りに回転自在に構成され、回転操作により流量調節を行う。具体的には、第２操作部４０は、略円筒状をなし、筒軸を回転軸Ｒと一致させた姿勢で弁装置１３に対して組み付けられている。第２操作部４０は、時計回り方向と反時計回り方向のいずれにも回転させることができるようになっている。第２操作部４０の回転操作により吐水の温度が調節される態様は、特に限定するものではないが、例えば、第２操作部４０の回転操作量に応じて弁装置１３内の第２の弁体が回転軸Ｒ方向に移動して、吐水管１９に連なる流路の開度が変更される態様とすることができる。
【００２３】
第２操作部４０は、第２操作部４０の回転操作量を指示する第２指示部４１を有する。第２指示部４１は、第２操作部４０の外表面４０Ａに形成された凸形状によって構成され、具体的には、第２操作部４０の外周面から径方向外側向けて突出する単一の凸部からなる。第２指示部４１は、第２操作部４０を操作する際に、操作者の指が掛かる指掛かり部とされる。第２指示部４１に指を掛けて、第２操作部４０を操作する態様は、第１指示部３１に指を掛けて、第１操作部３０を操作する態様と同様とされており、その説明を省略する。第２指示部４１の配置、および第２指示部４１が第２操作部４０の回転操作量を指示する態様については、後に説明する。
【００２４】
第１操作部３０と第２操作部４０は、互いに同軸上に配される。本実施例では、第１操作部３０と第２操作部４０は、操作状態において第２操作部４０が第１操作部３０に対して操作者から見て奥方に位置するように並んで配される。具体的には、第１操作部３０と第２操作部４０は、回転軸Ｒを取付面１０３Ａと交差させる姿勢で取付面１０３Ａに取り付けられ、第２操作部４０が第１操作部３０より取付面１０３Ａ側に配される。第１操作部３０及び第２操作部４０は、互いに独立して回転軸Ｒ周りに回転自在に構成される一方、回転軸Ｒ方向に沿って移動することが規制されている。このような構成により、操作者は操作する手指の位置を回転軸Ｒに沿って前後にずらすことにより、第１操作部３０と第２操作部４０のいずれかを選択して操作できるようになっている。
【００２５】
第１操作部３０と第２操作部４０は、奥行き寸法及び外径が同等とされている。また、第１操作部３０の外周面と第２操作部４０の外周面が略面一状に連なっている。つまり、第１操作部３０と第２操作部４０は、後述するように第１指示部３１及び第２指示部４１の位置が異なる他は互いに同様の形状とされており、一体感のある外観を呈している。そして、第１操作部３０と第２操作部４０は、第１指示部３１及び第２指示部４１が左側と右側にそれぞれあるから、第１指示部３１及び第２指示部４１を互いに区別しやすくなっている。
【００２６】
第３操作部２１は、回転軸Ｒ方向に移動自在に構成され、移動操作により吐水状態と止水状態の切り替えを行う。具体的には、第３操作部２１は、略円柱状をなし、柱軸を第１操作部３０の回転軸Ｒと一致させた姿勢で弁装置１３に対して組み付けられている。第３操作部２１は、第１操作部３０の挿通孔３５に挿通され、第１操作部３０から突出した突出位置と、第１操作部３０に押し込まれた押し込み位置と、に移動操作により変位する構成である。水栓１０は、第３操作部２１の突出位置において吐水状態とされ、押し込み位置において止水状態とされる。図２においては、第３操作部２１の突出位置を表す。第３操作部２１の移動操作により吐水状態と止水状態の切り替えが行われる態様は、特に限定するものではないが、例えば、第３操作部２１の位置に応じて弁装置１３内の第２の弁体が回転軸Ｒ方向に移動して、吐水管１９に連通する流路が開閉される態様とすることができる。
【００２７】
続いて、第１指示部３１及び第２指示部４１の配置および指示部３１，４１が操作部３０，４０の回転操作量を指示する態様について図３を参照しつつ説明する。
第１指示部３１と第２指示部４１は、回転軸Ｒ周りにおいて互いの可動域が重ならないように配置されている。詳細には、第１指示部３１と第２指示部４１の可動域は、回転軸Ｒをとおる平面を対称面として鏡面対称となっている。操作装置２０を前方から見て、第１指示部３１の可動域が回転軸Ｒの右側に位置し、第２指示部４１の可動域が回転軸Ｒの左側に位置する。第１指示部３１と第２指示部４１の可動域は、回転軸Ｒを中心とする回転角が約９０°の範囲に設定されている。なお、上記の回転角はこれに限られず、１８０°以下の範囲で適宜設定することができる。
【００２８】
取付面１０３Ａは、第１被指示部７１と第２被指示部７３を有する。第１被指示部７１は、第１指示部３１に指示され第１操作部３０の回転操作量を示す。第２被指示部７３は、第２指示部４１に指示され第２操作部４０の回転操作量を示す。
【００２９】
第１操作部３０の回転操作量の表示態様は、第１指示部３１が指針を表し、第１被指示部７１が吐水の温度を表す態様とされる。第１指示部３１は、凸部の突出方向が第１操作部３０の回転操作量を指示する方向とされる。第１被指示部７１は、第１指示部３１の可動域の下端に設けられた水を表す青色の丸と、上端に設けられた湯を表す赤色の丸によって構成される。第１指示部３１と第１被指示部７１は、第１操作部３０の回転操作量に応じて、第１被指示部７１において第１指示部３１が指示する色やその色からの距離が変化することにより、吐水の温度を示す。詳細には、第１指示部３１が青色の丸を指示する状態では、水が吐水されることを示し、第１指示部３１が青色の丸から赤色の丸に近づくにつれて高温の湯が吐水されることを示す。
【００３０】
また、第２操作部４０の回転操作量の表示態様は、第２指示部４１が指針を表し、第２被指示部７３が吐水の流量を表す態様とされる。第２指示部４１は、凸部の突出方向が第２操作部４０の回転操作量を指示する方向とされる。第２被指示部７３は、第２指示部４１の可動域の下端に設けられた「−（マイナス記号）」と、上端に設けられた「＋（プラス記号）」によって構成される。第２指示部４１と第２被指示部７３は、第２操作部４０の回転操作量に応じて、第２被指示部７３において第２指示部４１が指示する記号やその記号からの距離が変化することにより、流量の多少を示す。詳細には、第２指示部４１が「−」を指示する状態では、流量が少ないことを示し、第２指示部４１が「−」から「＋」に近づくにつれて流量が多くなることを示す。
【００３１】
以上説明したように、本実施例の水栓１０の操作装置２０は、回転軸Ｒ周りに回転自在に構成され、回転操作により吐水の温度調節を行う第１操作部３０と、第１操作部３０と同軸上に配されるとともに回転軸Ｒ周りに回転自在に構成され、回転操作により吐水の流量調節を行う第２操作部４０と、を備える。第１操作部３０は、第１操作部３０の回転操作量を指示する第１指示部３１を有する。第１指示部３１は、第１操作部３０の外表面３０Ａに形成された凸形状によって構成される。第２操作部４０は、第２操作部４０の回転操作量を指示する第２指示部４１を有する。第２指示部４１は、第２操作部４０の外表面４０Ａに形成された凸形状によって構成される。
【００３２】
この水栓１０の操作装置２０は、第１指示部３１と第２指示部４１がそれぞれ第１操作部３０と第２操作部４０の外表面３０Ａ，４０Ａに形成された凸形状によって構成されるから、第１操作部３０と第２操作部４０の各々を回転操作する際に第１指示部３１と第２指示部４１に指を掛けることができる。そして、水栓１０の操作装置２０によれば、指を掛ける部分となる第１指示部３１と第２指示部４１により、止水状態であっても第１操作部３０と第２操作部４０の回転操作量を認識可能となる。
【００３３】
したがって、操作性に優れるとともに、止水状態であっても吐水状態に切り替えた場合の吐水の温度や流量を推測可能な水栓１０の操作装置２０を提供することができる。
【００３４】
本実施例では、第１指示部３１と第２指示部４１は、回転軸Ｒ周りにおいて互いの可動域が重ならないように配置されている。この構成によれば、第１指示部３１と第２指示部４１の各々が指示する第１操作部３０の回転操作量と第２操作部４０の回転操作量を判別しやすくなる。
【００３５】
本実施例では、第１操作部３０と第２操作部４０は、取付面１０３Ａに対して回転軸Ｒを交差させる姿勢で取り付けられている。取付面１０３Ａは、第１指示部３１に指示され第１操作部３０の回転操作量を示す第１被指示部７１と、第２指示部４１に指示され第２操作部４０の回転操作量を示す第２被指示部７３と、を有する。この構成によれば、第１被指示部７１と第２被指示部７３を取付面１０３Ａに形成することにより、これらを形成するための部材を別途設けることなく第１操作部３０の回転操作量と第２操作部４０の回転操作量を示すことができる。
【００３６】
また、本実施例によれば、第１操作部３０と第２操作部４０が同軸上に並んで配されるから、例えば、止水状態では第１操作部３０と第２操作部４０の一方が他方に収納されるような構成に比して、止水状態であっても第１操作部３０と第２操作部４０の各々を回転操作しやすい。
【００３７】
＜実施例２＞
次に、実施例２に係る水栓１０の操作装置２２０について図４及び図５を参照しつつ説明する。実施例２の水栓１０の操作装置２２０は、第１指示部２３１が外表面２３７に形成された凹形状によって構成される点で実施例１と相違する。なお、実施例１と同様の構成は同一の符号を付し、詳細な説明を省略する。
【００３８】
第１操作部２３０は、回転軸Ｒ周りに回転自在に構成され、回転操作により吐水の流量調節を行う。さらに、第１操作部２３０は、回転軸Ｒ方向に移動自在に構成され、移動操作により吐水状態と止水状態の切り替えを行う。つまり、第１操作部２３０は、実施例１の第２操作部４０と第３操作部２１の機能を併せ持つような操作部となっている。
【００３９】
第１操作部２３０は、回転軸Ｒ方向に沿って第２操作部２４０に収納される。つまり、第２操作部２４０は、第１操作部２３０を収納する収納部であるとも言える。第１操作部２３０は、自身の外周面２３７Ａを把持可能な位置まで第２操作部２４０から突出した突出位置と、外周面２３７Ａを把持不能な位置まで第２操作部２４０に押し込まれた押し込み位置と、に移動操作により変位する構成である。第１操作部２３０の外表面２３７は、突出位置において外部に露出する面である第１操作部２３０の外周面２３７Ａと前面２３７Ｂを含む。
【００４０】
第１操作部２３０は、第１操作部２３０の回転操作量を指示する第１指示部２３１を有する。第１指示部２３１は、第１操作部２３０の前面２３７Ｂから凹む凹形状をなし、押し込み位置において、操作者が指を掛けて回転操作する指掛かり部とされる。言い換えれば、第１指示部２３１は、回転軸Ｒに対してこれと直交する方向に離れた位置に形成され、第１操作部２３０を回転操作する際に指に押圧される押圧面を有する構成をなす。
【００４１】
第１操作部２３０と第２操作部２４０の間には、表示部２５０が配されている。表示部２５０は、回転軸Ｒ周りに回転不能に構成され、第１操作部３０の回転操作量を表示する。表示部２５０は、第１指示部２３１に指示され第１操作部２３０の回転操作量を示す第１被指示部２７１を有する。表示部２５０は、円環状をなし、中心が回転軸Ｒ上に位置するように配置されている。表示部２５０の内側には第１操作部２３０が挿通される。
【００４２】
図５に示すように、第１操作部２３０の回転操作量の表示態様は、第１指示部２３１が指針を表し、第１被指示部２７１が流量を表す態様とされる。第１指示部２３１は、第１操作部２３０の前面２３７Ｂにおいて、回転軸Ｒを基準とした第１指示部２３１の位置が第１操作部２３０の回転操作量を指示する方向とされる。第１被指示部２７１は、表示部２５０の前面において第１操作部２３０の回転操作に伴って、第１指示部２３１が指示する領域に亘って形成されている。第１被指示部２７１は、第１指示部２３１が指示する領域の一端に設けられた「−（マイナス記号）」と、他端に設けられた「＋（プラス記号）」と、これらの間に配された線によって構成されている。表示部２５０は、第１操作部２３０の回転操作量に応じて、第１被指示部２７１において第１指示部２３１が指示する位置が変化することにより、流量の大小を表す。詳細には、第１指示部２３１が「−」を指示する状態では、流量が少ないことを示し、第１指示部２３１が「−」から「＋」に近づくにつれて流量が多くなることを示す。
【００４３】
第２操作部２４０は、第２操作部２４０の回転操作量を指示する第２指示部２４１を有する。取付面１０３Ａは、第２指示部２４１に指示され第２操作部２４０の回転操作量を示す第２被指示部２７３を有する。第２操作部２４０の回転操作量の表示態様は、実施例１の第１操作部３０の回転操作量の表示態様と同様とされており、その説明を省略する。
【００４４】
本発明は上記記述及び図面によって説明した実施例に限定されるものではなく、例えば次のような実施例も本発明の技術的範囲に含まれる。
（１）実施例１では、第１操作部が吐水の温度調節を行い、第２操作部が吐水の流量調節を行うものを例示したが、これに限られない。例えば、第１操作部が吐水の流量調節を行い、第２操作部が吐水の温度調節を行うものであってもよい。
（２）実施例１では、第１指示部が第１操作部の外表面に形成された凸形状によって構成されものを例示したが、第１指示部は第１操作部の外表面に形成された凹形状によって構成されてもよい。また、実施例１では、第２指示部が第２操作部の外表面に形成された凸形状によって構成されものを例示したが、第２指示部は第１操作部の外表面に形成された凹形状によって構成されてもよい。
（３）実施例１及び実施例２以外にも、第１操作部と第２操作部の配置、形状、外表面における第１指示部及び第２指示部の位置は適宜変更可能である。
（４）実施例１では、第１指示部と第２指示部の可動域が回転軸周りにおいて互いに重ならない構成を例示したが、これに限られない。また、操作装置を前方から見て、第１指示部と第２指示部の一方の可動域が回転軸の上側に位置し、他方の可動域が回転軸の下側に位置していてもよい。
（５）実施例１では、取付面が第１被指示部及び第２被指示部を有する構成を例示したが、これに限られない。例えば、第１操作部と第２操作部の間に配された表示部が第１被指示部及び第２被指示部を有する構成であっても構わない。
（６）実施例１、実施例２では、操作装置が吐水状態と止水状態の切り替えを行う操作部を備えるものを例示したが、これに限られない。例えば、吐水状態と止水状態の切り替えは、操作装置とは別の部位に備えられた操作部により行われてもよい。
（７）実施例１、実施例２以外にも、指示部が操作部の回転操作量を指示する態様は適宜変更可能である。指示部は、被指示部を指示することにより操作者が操作部の回転操作量を認識できるような表示を表すものであればよい。被指示部は、指示部が指示する範囲に亘って形成された流量の大小に対応する図形や、水や湯を想起する文字や色等を表す。このような被指示部を設けることにより、指示部が指す被指示部の位置により操作部の回転操作量を表すことができる。また、このような被指示部を設けず、指示部の回転軸に対する位置により操作部の回転操作量を指示してもよい。
【符号の説明】
【００４５】
１０…水栓
２０，２２０…操作装置
３０，２３０…第１操作部
３０Ａ，２３７…外表面
３１，２３１…第１指示部
４０，２４０…第２操作部
４０Ａ…外表面
４１，２４１…第２指示部
７１…第１被指示部
７３…第２被指示部
１０３Ａ…取付面
Ｒ…回転軸
【図１】
2020153093.tif 000003
【図２】
2020153093.tif 000004
【図３】
2020153093.tif 000005
【図４】
2020153093.tif 000006
【図５】
2020153093.tif 000007